(57)【要約】【課題】  整経ドラム上と綾取りバー上とで経糸の配列順の反転現象が生じず、同時整経糸本数が多い場合でも後工程の製織行程において経糸の開口不良を生じたり、経糸のつれ及び経糸の切れ等の問題を惹起することのない複本数同時整列巻きによるサンプル整経方法及びサンプル整経機を提供する。【解決手段】  ヤーンガイドが一回転する間に、順次整経ドラムに巻付けられる複本数の各々の経糸が前記ガイド手段を通過する毎に、該ガイド手段が整経密度の距離Ｒ分整経方向とは逆方向へピッチ戻りすることによって、該整経ドラムに巻き付けられる糸の巻付順に整経方向から逆方向に整経密度の距離Ｒ分の間隔を有して配列された同時整経本数からなる経糸帯を形成するように該整経ドラムに巻き付けるようにした。【選択図】  図１
2007063676.tif 000002
【特許請求の範囲】
【請求項１】
整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、該整経ドラムの外周前端部に設けられ且つ該ヤーンガイドによる経糸の巻き付け位置をガイドする複数のガイド手段と、を備えるサンプル整経機によって複本数同時整経による整列巻きを行うサンプル整経方法であって、ヤーンガイドが一回転する間に、順次整経ドラムに巻付けられる複本数の各々の経糸が前記ガイド手段を通過する毎に、該ガイド手段が整経密度の距離Ｒ分整経方向とは逆方向へピッチ戻りすることによって、該整経ドラムに巻き付けられる糸の巻付順に整経方向から逆方向に整経密度の距離Ｒ分の間隔を有して配列された同時整経本数からなる経糸帯を形成するように該整経ドラムに巻き付けることを特徴とする複本数同時整列巻きによるサンプル整経方法。
【請求項２】
整経長（整経長＝整経ドラム周長×巻回数）即ち巻回数が２回巻以上の場合、予め設定された巻回数に達するまでの間、ヤーンガイドの回転毎に前回転で形成した経糸帯から変位量の距離Ｐ分整経方向へ変位した経糸帯を形成するように積層することを特徴とする請求項１記載の複本数同時整列巻きによるサンプル整経方法。
【請求項３】
予め設定された整経長、即ち巻回数に達すると、ガイド手段は次バンドの巻き付け前に、前バンドの１周目の巻き付け初めのスタート位置に戻り、コンベアベルトは予め設定された整経長、即ち巻回数に達するまでの間に同時整経本数に整経密度の距離Ｒ分を乗じたＲN分を整経方向へ移動することを特徴とする請求項１又は２記載の複本数同時整列巻きによるサンプル整経方法。
【請求項４】
前記整経密度の距離Ｒは、（１）整経幅÷整経総本数の値、又は（２）異なる番手の経糸が混在する場合は直径の太い糸を巻付けるときの距離Ｒの値は直径の細い糸を巻き付けたときの距離Ｒの値より大きな値（ＲL）或いは直径の細い糸を巻き付けるときの距離Ｒの値は直径の太い糸を巻き付けるときの距離Ｒ（即ちＲL）の値より小さな値（ＲS）とし、それぞれの距離Ｒ（ＲL，ＲS）の値に対応する整経本数を乗じた値の合計が整経幅となるような上記（１）又は（２）のいずれかの距離Ｒ（ＲL，ＲS）を用いることを特徴とする請求項１〜３のいずれか１項記載の複本数同時整列巻きによるサンプル整経方法。
【請求項５】
前記変位量の距離Ｐの値は、整経される経糸太さの直径ｄ以上又は前記整経密度の距離Ｒ以上のいずれかであることを特徴とする請求項１〜４のいずれか１項記載の複本数同時整列巻きによるサンプル整経方法。
【請求項６】
整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、該整経ドラムの外周前端部に設けられ且つ該ヤーンガイドによる経糸の巻き付け位置をガイドする複数のガイド手段と、を備えるサンプル整経機であって、ヤーンガイドが一回転する間に、順次整経ドラムに巻付けられる複本数の各々の経糸が前記ガイド手段を通過する毎に、該ガイド手段が整経密度の距離Ｒ分整経方向とは逆方向へピッチ戻りすることによって、該整経ドラムに巻き付けられる糸の巻付順に整経方向から逆方向に整経密度の距離Ｒ分の間隔を有して配列された同時整経本数からなる経糸帯を形成すると共に、整経長（整経長＝整経ドラム周長×巻回数）即ち巻回数が２回巻以上の場合は、予め設定された巻回数に達するまでの間、ヤーンガイドの回転毎に前回転で形成した経糸帯から変位量の距離Ｐ分整経方向へ変位した経糸帯を形成するように積層することを特徴とする複本数同時整列巻き可能なサンプル整経機。
【請求項７】
予め設定された整経長（整経長＝整経ドラム周長×巻回数）即ち巻回数に達すると、前記ガイド手段は次バンドの巻付け前に、前バンドの１周目の巻付け始めのスタート位置に戻り、コンベアベルトは予め設定された整経長、即ち巻回数に達するまでの間に同時整経本数に整経密度の距離Ｒ分を乗じた距離ＲN分整経方向へ移動し、予め設定された整経総本数まで繰り返すことを特徴とする請求項６記載の複本数同時整列巻き可能なサンプル整経機。
【発明の詳細な説明】
【技術分野】
【０００１】
本発明は、経糸のサンプル整経方法及びそのサンプル整経機に係り、特には複数本の経糸を同時に整列巻きを行うサンプル整経方法及びそれを可能としたサンプル整経機に関する。
【背景技術】
【０００２】
従来より、サンプル整経機（Sample Warper）による経糸の整経方法として、いわゆる整列巻きと呼ばれる経糸の整経方法が広く知られている。この整列巻きは、１本のヤーンガイドで経糸１本を整経する場合であれば、整経ドラムのドラムスポークの長手方向に摺動自在に設けられたガイド手段８によって、ヤーンガイドからの経糸をヤーンガイドの１回転毎に変位量の距離Ｐだけ整経方向へ移動させつつ巻き付け、ヤーンガイドの回転数が回数巻の設定値（例えば５回巻き）に達すると、ガイド手段８はスタート位置に距離Ｑ（距離Ｐ×回数巻設定値）分だけクイックバックし、これと共にコンベアベルト１７は整経密度の距離Ｒ分だけ整経方向に移動する動作を整経総本数まで繰り返すことにより整列巻きを行うものである（例えば、特許文献１及び特許文献２）。
【０００３】
また、複数本（一般的に２〜２４本）のヤーンガイドで複数本の経糸を同時整経する場合も、基本的な原理は同様であり、ガイド手段８によって、複本数同時整経される経糸帯をヤーンガイドの１回転毎に変位量の距離Ｐだけ整経方向へ移動させつつ積層状に（重畳的に）巻き付け、ヤーンガイドの回転数が回数巻の設定値に達すると、ガイド手段８は当該バンドの巻き始め〔１周目（１層目）〕のスタート位置に距離ＱN分だけクイックバックする。これと共にコンベアベルト１７は整経密度の距離Ｒ×同時整経本数＝距離ＲN分だけ整経方向に移動する動作を整経総本数まで繰り返すことによって複本数同時整経による整列巻きを行うものである（図１２参照。その他、特許文献２等参照）。なお、本明細書において、経糸帯とは予め設定された巻回数の間、ヤーンガイド一回転毎に形成されるシート状（帯状）の経糸配列（図示例では１Ａ〜１Ｈ、２Ａ〜２Ｈ、３Ａ〜３Ｈ、４Ａ〜４Ｈ、５Ａ〜５Ｈのそれぞれ）のことをいい、また、バンドとは同時整経本数（例えば８本）×巻回数（例えば５回巻）からなる経糸構造全体（図示例では１Ａ〜５Ｈまで）のことをいうものとする。
【０００４】
ここで、上記複本数同時整経による整列巻きを行う場合、各経糸帯を構成する経糸は、ガイド手段８によって、整経密度の距離Ｒ毎に同時整経本数分だけ整経方向へピッチ送りしつつ巻き付けられた後、変位量の距離Ｐ（図示例では経糸太さｄの２倍）分だけ変位するように距離Ｓｂ（図示例では整経密度Ｒの５倍）分整経方向と逆方向にステップ戻りされる動作を繰り返して各経糸帯が巻き付けられている（図１２参照。その他、特許文献２等参照）。
【０００５】
即ち、例えば同時整経糸本数８本で５回巻の場合、整経ドラム上ではガイド手段８によって手前側（整経ドラム前端側）から整経方向（コンベアベルトの移動方向、整経ドラム後端側）に向けて、１周目の経糸帯が経糸１Ａ、１Ｂ、１Ｃ、１Ｄ、１Ｅ、１Ｆ、１Ｇ、１Ｈの順で給糸され整経密度の距離Ｒ毎にピッチ送りされて配列され、変位量の距離Ｐ（図示例では糸幅ｄの２倍）分だけ変位するように距離Ｓｂ（図示例では整経密度の５倍）分整経方向と逆方向にステップ戻りされる（図１３）。
【０００６】
同様に、２周目が経糸２Ａ、２Ｂ、２Ｃ、２Ｄ、２Ｅ、２Ｆ、２Ｇ、２Ｈの順で距離Ｒ毎に整経方向にピッチ送りして配列され、変位量の距離Ｐ分だけ変位するように距離Ｓｂ分整経方向と逆方向にステップ戻りされ（図１４）、３周目が経糸３Ａ、３Ｂ、３Ｃ、３Ｄ、３Ｅ、３Ｆ、３Ｇ、３Ｈの順で距離Ｒ毎に整経方向にピッチ送りして配列され、変位量の距離Ｐ分だけ変位するように距離Ｓｂ分整経方向と逆方向にステップ戻りされ（図１５）、４周目が経糸４Ａ、４Ｂ、４Ｃ、４Ｄ、４Ｅ、４Ｆ、４Ｇ、４Ｈの順で距離Ｒ毎に整経方向にピッチ送りして配列され、変位量の距離Ｐ分だけ変位するように距離Ｓｂ分整経方向と逆方向にステップ戻りされる（図１６）。
【０００７】
５周目が経糸５Ａ、５Ｂ、５Ｃ、５Ｄ、５Ｅ、５Ｆ、５Ｇ、５Ｈの順で距離Ｒ毎に整経方向にピッチ送りして配列されると、ヤーンガイドの回転数が回数巻の設定値に達するので、ガイド手段８は当該層の巻き始め〔１周目（１層目）〕のスタート位置に距離ＱN分だけクイックバックする（図示例では経糸５Ｈの位置から経糸１Ａの位置まで戻る。）。これと共にコンベアベルト１７は整経密度の距離Ｒ×同時整経本数＝距離ＲN分だけ整経方向に移動する（図１７）。このような動作を整経総本数まで繰り返すことによって複本数同時整経による整列巻きによる巻き姿が完成する（図１２参照。その他、特許文献２等参照）。
【０００８】
このような巻き姿は、一見すると整経方向に向かって順序よく整然と整列されているように見える。また、技術常識からみても整経方向に順列に経糸が配列されているのであるから、当然のように正しい経糸の配列順であると考えられていた。従って、整列巻きによる経糸の整経方法が行われるようになって以来、長年に亘って当然のこととして常識的に上記経糸の配列順で整列巻きを行っていたのである。ところが、近年になって整経速度や整経効率等の観点からヤーンガイドの本数が増え、同時整経糸本数が多くなるにつれて、例えば後工程の製織行程において経糸の開口不良を生じたり、経糸のつれ及び経糸の切れ等の問題が生じることが多くなってきた。
【特許文献１】特許第２８５４７８９号公報
【特許文献２】特許第３４１０４４０号公報
【特許文献３】特許第３４８４４０１号公報
【発明の開示】
【発明が解決しようとする課題】
【０００９】
上記問題が生じる原因につき、本発明者らは鋭意検討を重ねた処、整経ドラム上の経糸の配列順と綾取りバー上の配列順とでは同時整経糸本数毎に１８０°反転した経糸の配列順となっていることが原因であることが見出された。即ち、従来より経糸の整経に際しては、整経ドラムの側部に設けられた綾取りバーで各種の綾（始端及び終端のカット綾、一本交互の綾など）が形成されているのであるが（例えば特許文献１参照）、綾取りバーでは経糸が給糸される毎に逐次順番に綾を取るため、例えば、図１８に示した如く、１周目が経糸Ａ→Ｂ→Ｃ→Ｄ→Ｅ→Ｆ→Ｇ→Ｈの順番で整経ドラム上に給糸されたとすると、その順番で逐次綾取りされるために綾取りバー上では整経方向に向かって経糸１Ａが奥側に経糸１Ｈが手前側に、即ち経糸Ｈ→Ｇ→Ｆ→Ｅ→Ｄ→Ｃ→Ｂ→Ａの順番で配列されることとなり、結果的に、整経ドラム上の経糸の配列順（Ａ→Ｂ→Ｃ→Ｄ→Ｅ→Ｆ→Ｇ→Ｈ）と綾取りバー上の配列順（Ｈ→Ｇ→Ｆ→Ｅ→Ｄ→Ｃ→Ｂ→Ａ）とでは、同時整経糸本数毎に１８０°反転した配列となってしまっていたのである（図１８参照）。
【００１０】
従前のようにヤーンガイドの本数（即ち同時整経糸本数）が１〜２本程度であった場合には、例え整経ドラム上と綾取りバー上においてこのような経糸の配列順の反転現象が実際には生じていたとしても殆ど問題にならなかったのであるが、近年では整経速度や整経効率等の観点からヤーンガイドの本数（同時整経糸本数）が８〜２４本にまで増加してきているため、その８〜２４本毎に常に経糸の配列順の反転現象が整経ドラム上と綾取りバー上に生じていることとなり、この反転現象の生じたことによって後工程の製織行程において経糸の開口不良を生じたり、経糸のつれ及び経糸の切れ等の問題を惹起していたのである。
【００１１】
本発明は、上記問題点に鑑みてなされたものであり、整経ドラム上と綾取りバー上とで経糸の配列順の反転現象が生じず、同時整経糸本数が多い場合でも後工程の製織行程において経糸の開口不良を生じたり、経糸のつれ及び経糸の切れ等の問題を惹起することのない複本数同時整列巻きによるサンプル整経方法及びサンプル整経機を提供することを目的とする。
【課題を解決するための手段】
【００１２】
上記課題を解決するために、本発明の複本数同時整列巻きによるサンプル整経方法は、整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、該整経ドラムの外周前端部に設けられ且つ該ヤーンガイドによる経糸の巻き付け位置をガイドする複数のガイド手段と、を備えるサンプル整経機によって複本数同時整経による整列巻きを行うサンプル整経方法であって、ヤーンガイドが一回転する間に、順次整経ドラムに巻付けられる複本数の各々の経糸が前記ガイド手段を通過する毎に、該ガイド手段が整経密度の距離Ｒ分整経方向とは逆方向へピッチ戻りすることによって、該整経ドラムに巻き付けられる糸の巻付順に整経方向から逆方向に整経密度の距離Ｒ分の間隔を有して配列された同時整経本数からなる経糸帯を形成するように該整経ドラムに巻き付けることを特徴とする。
【００１３】
整経長（整経長＝整経ドラム周長×巻回数）即ち巻回数が２回巻以上の場合、予め設定された巻回数に達するまでの間、ヤーンガイドの回転毎に前回転で形成した経糸帯から変位量の距離Ｐ分整経方向へ変位した経糸帯を形成するように積層すること好適である。
【００１４】
予め設定された整経長、即ち巻回数に達すると、ガイド手段は次バンドの巻き付け前に、前バンドの１周目の巻き付け初めのスタート位置に戻り、コンベアベルトは予め設定された整経長、即ち巻回数に達するまでの間に同時整経本数に整経密度の距離Ｒ分を乗じたＲN分を整経方向へ移動することが好ましい。
【００１５】
前記整経密度の距離Ｒは、（１）整経幅÷整経総本数の値、又は（２）異なる番手の経糸が混在する場合は直径の太い糸を巻付けるときの距離Ｒの値は直径の細い糸を巻き付けたときの距離Ｒの値より大きな値（ＲL）或いは直径の細い糸を巻き付けるときの距離Ｒの値は直径の太い糸を巻き付けるときの距離Ｒ（即ちＲL）の値より小さな値（ＲS）とし、それぞれの距離Ｒ（ＲL，ＲS）の値に対応する整経本数を乗じた値の合計が整経幅となるような上記（１）又は（２）のいずれかの距離Ｒ（ＲL，ＲS）を用いることが好ましい。
【００１６】
前記変位量の距離Ｐの値は、整経される経糸太さの直径ｄ以上又は前記整経密度の距離Ｒ以上のいずれかであることが好ましい。
【００１７】
また、本発明の複本数同時整列巻き可能なサンプル整経機は、整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、該整経ドラムの外周前端部に設けられ且つ該ヤーンガイドによる経糸の巻き付け位置をガイドする複数のガイド手段と、を備えるサンプル整経機であって、ヤーンガイドが一回転する間に、順次整経ドラムに巻付けられる複本数の各々の経糸が前記ガイド手段を通過する毎に、該ガイド手段が整経密度の距離Ｒ分整経方向とは逆方向へピッチ戻りすることによって、該整経ドラムに巻き付けられる糸の巻付順に整経方向から逆方向に整経密度の距離Ｒ分の間隔を有して配列された同時整経本数からなる経糸帯を形成すると共に、整経長（整経長＝整経ドラム周長×巻回数）即ち巻回数が２回巻以上の場合は、予め設定された巻回数に達するまでの間、ヤーンガイドの回転毎に前回転で形成した経糸帯から変位量の距離Ｐ分整経方向へ変位した経糸帯を形成するように積層することを特徴とする。
【００１８】
予め設定された整経長（整経長＝整経ドラム周長×巻回数）即ち巻回数に達すると、前記ガイド手段は次バンドの巻付け前に、前バンドの１周目の巻付け始めのスタート位置に戻り、コンベアベルトは予め設定された整経長、即ち巻回数に達するまでの間に同時整経本数に整経密度の距離Ｒ分を乗じた距離ＲN分整経方向へ移動し、予め設定された整経総本数まで繰り返すことが好ましい。
【発明の効果】
【００１９】
本発明によれば、整経ドラム上と綾取りバー上とで経糸の配列順の反転現象が生じず、同時整経糸本数が多い場合でも後工程の製織行程において経糸の開口不良を生じたり、経糸のつれ及び経糸の切れ等の問題を惹起することのない複本数同時整列巻きによるサンプル整経方法及びサンプル整経機を提供することができるという大きな効果を奏する。
【発明を実施するための最良の形態】
【００２０】
以下に本発明の実施の形態を添付図面に基づいて説明するが、図示例は例示的に示されたもので、本発明の技術思想から逸脱しない限り種々の変形が可能なことはいうまでもない。
【００２１】
図１は、本発明方法による経糸の巻き姿及び整経原理を概念的に示す説明図である。図２は、図１の１周目（１層目）を巻き付けた状態を示す説明図である。図３は、図１の２周目（２層目）を巻き付けた状態を示す説明図である。図４は、図１の３周目（３層目）を巻き付けた状態を示す説明図である。図５は、図１の４周目（４層目）を巻き付けた状態を示す説明図である。図６は、図１の５周目（５層目）を巻き付けた状態を示す説明図である。図７は、本発明方法による整経ドラム上と綾取りバー上とで経糸の配列順を示す概念図である。図８は、本発明のサンプル整経機の一例を示す斜視説明図である。図９は、綾取り手段の一例を示す側面説明図である。図１０は、ガイド手段の一例を示す側面説明図である。図１１は、図１０の一部断面図である。図中、符号２は本発明のサンプル整経機、符号８はガイド手段、符号Ｙは経糸、符号Ｙｄは整列巻きされた経糸層である。なお、以下の説明では、同時整経糸本数８本の場合（ヤーンガイドの本数が８本の場合）を例にとって説明するが、２〜２４本の場合でも同様である。
【００２２】
まず、各バンドの同時整経糸本数が８本の繰り返しで、経糸Ａ，Ｂ，Ｃ，Ｄ，Ｅ，Ｆ，Ｇ，Ｈの順で整経ドラム１４に巻き付けられるように各ヤーンガイド６ａ〜６ｈに経糸を仕掛けた整経長（巻回数）が５回巻の例を用い、各経糸帯を構成する経糸の配列順及び各経糸帯の積層形態について図１〜図６を用いて説明する。
【００２３】
整経ドラム１４のコンベアベルト１７上において、１周目（１層目）はガイド手段８によって整経方向（整経ドラム１４の後端側）から逆方向（コンベアベルト１７の移動方向の逆方向、整経ドラム１４の前端側）に向けて、即ち整経方向の逆方向に向けて、経糸１Ａ、１Ｂ、１Ｃ、１Ｄ、１Ｅ、１Ｆ、１Ｇ、１Ｈの順に距離Ｒ毎にピッチ戻りして配列され、１周目（１層目）の経糸帯を形成する（図２）。このとき、ガイド手段８は図２の実線で表示されたの位置から点線で表示された位置まで移動する（図２）。その後、変位量の距離Ｐ分整経方向へ変位した積層形態とすべく、ピッチ戻りした移動量（同時整経本数８本ならば７Ｒ分）に変位量の距離Ｐを加えた距離Ｓａ分だけ整経方向にステップ送りされ（図２）、ガイド手段８は図２の点線で表示された位置から図３の実線で表示された位置まで移動する。
【００２４】
ここで、本発明方法において整経密度の距離Ｒの値は、（１）整経幅÷整経総本数の値であり、また、（２）異なる番手の経糸が混在する場合は、直径の太い糸を巻付けるときの距離Ｒの値は直径の細い糸を巻き付けたときの距離Ｒの値より大きな値（ＲL）、直径の細い糸を巻き付けるときの距離Ｒの値は直径の太い糸を巻き付けるときの距離Ｒ（即ちＲL）の値より小さな値（ＲS）とし、それぞれの距離Ｒ（ＲL，ＲS）の値に対応する整経本数を乗じた値の合計が整経幅となるような上記（１）又は（２）のいずれかの距離Ｒのことをいうものである。また、変位量の距離Ｐの値は、整経される経糸太さの直径ｄ以上又は整経密度の距離Ｒ以上のいずれかをいうものである。さらに、ステップ送りの距離Ｓａの値は、ガイド手段８のピッチ戻りした移動量（即ち同時整経本数−１）に変位量の距離Ｐを加えた値をいうものである。
【００２５】
同様にして、２周目（２層目）が経糸２Ａ、２Ｂ、２Ｃ、２Ｄ、２Ｅ、２Ｆ、２Ｇ、２Ｈの順で距離Ｒ毎に整経方向の逆方向にピッチ戻りして配列され、上記１周目（１層目）の経糸帯より整経方向に変位量の距離Ｐ分変位した２周目（２層目）の経糸帯を形成する（図３）。このとき、ガイド手段８は図３の実線で表示されたの位置から点線で表示された位置まで移動する（図３）。その後、変位量の距離Ｐ分整経方向へ変位した積層形態とすべく、ピッチ戻りした移動量に変位量の距離Ｐを加えた距離Ｓａ分だけ整経方向にステップ送りされ（図３）、ガイド手段８は図３の点線で表示された位置から図４の実線で表示された位置まで移動する。
【００２６】
３周目（３層目）が経糸３Ａ、３Ｂ、３Ｃ、３Ｄ、３Ｅ、３Ｆ、３Ｇ、３Ｈの順で距離Ｒ毎に整経方向の逆方向にピッチ戻りして配列され、上記２周目（２層目）の経糸帯より整経方向に変位量の距離Ｐ分変位した３周目（三層目）の経糸帯を形成する（図４）。このとき、ガイド手段８は図４の実線で表示されたの位置から点線で表示された位置まで移動する（図４）。その後、変位量の距離Ｐ分整経方向へ変位した積層形態とすべく、ピッチ戻りした移動量に変位量の距離Ｐを加えた距離Ｓａ分だけ整経方向にステップ送りされ（図４）、ガイド手段８は図４の点線で表示された位置から図５の実線で表示された位置まで移動する。
【００２７】
４周目（４層目）が経糸４Ａ、４Ｂ、４Ｃ、４Ｄ、４Ｅ、４Ｆ、４Ｇ、４Ｈの順で距離Ｒ毎に整経方向の逆方向にピッチ戻りして配列され、上記３周目（３層目）の経糸帯より整経方向に変位量の距離Ｐ分変位した４周目（４層目）の経糸帯を形成する（図５）。このとき、ガイド手段８は図５の実線で表示されたの位置から点線で表示された位置まで移動する（図５）。その後、変位量の距離Ｐ分整経方向へ変位した積層形態とすべく、ピッチ戻りした移動量に変位量の距離Ｐを加えた距離Ｓａ分だけ整経方向にステップ送りされ（図５）、ガイド手段８は図５の点線で表示された位置から図６の実線で表示された位置まで移動する。
【００２８】
５周目（５層目）が経糸５Ａ、５Ｂ、５Ｃ、５Ｄ、５Ｅ、５Ｆ、５Ｇ、５Ｈの順で距離Ｒ毎に整経方向の逆方向にピッチ戻りして配列されると（図６）、ヤーンガイドの回転数が回数巻の設定値に達するので、ガイド手段８は当該バンドの巻き始め〔１周目（１層目）〕のスタート位置（図２の実線で表示されたガイド手段８の位置）にクイックバックする。本発明方法でいうクイックバックとは、ガイド手段８を当該バンドの巻き始め〔１周目（１層目）〕のスタート位置（図示例では経糸１Ａ）に戻す動作（言わばガイド手段８の動作のリセット）をいうものであり、距離ＱM分だけクイックバックする。図示例では当該バンドの巻き終りの経糸５Ｈの位置から巻き始めの１Ａの位置に戻る。コンベアベルト１７はヤーンガイド６ａ〜６ｈの回転数が回数巻の設定値に達するまでの間（図示例では５回転する間）に整経密度の距離Ｒ×同時整経本数＝距離ＲN分（図示例では経糸帯の幅Ｂと同じ距離分）だけ整経方向に移動する（図６）。このようにして、本発明方法による巻き姿が完成する（図１参照）。
【００２９】
本発明方法において、整列巻き自体の基本的原理は従来方法と同様であるが、各バンドを構成する経糸の巻き付け態様が上記の如く異なるためにクイックバックする必要のある距離が著しく短くなっており、クイックバックの動作に伴う動作不良も減少し、整経速度向上の観点からも有利である。
【００３０】
本発明方法によれば、整経ドラム上の経糸の配列順と綾取りバー上の配列順とが同じになるので、綾部分での経糸の配列順の反転現象は生じることはない。例えば１周目が経糸１Ａ→１Ｂ→１Ｃ→１Ｄ→１Ｅ→１Ｆ→１Ｇ→１Ｈの順番で給糸された場合でも、本発明方法によれば上記の如く整経ドラム上では整経方向に向かって経糸１Ａが奥側に経糸１Ｈが手前側に、経糸１Ｈ→１Ｇ→１Ｆ→１Ｅ→１Ｄ→１Ｃ→１Ｂ→１Ａの順番で配列されるため、綾取りバー上での経糸の配列順、即ち経糸１Ｈ→１Ｇ→１Ｆ→１Ｅ→１Ｄ→１Ｃ→１Ｂ→１Ａという配列順と一致することとなる（図７参照）。従って、後工程の製織工程において経糸の開口不良等を惹起することもない。
【００３１】
次に、本発明のサンプル整経機２について説明する。本発明のサンプル整経機２は上記本発明方法を実施するようにしたサンプル整経機であり、基本的構造は従来のサンプル整経機と同様のものである。従って、詳細な説明は省略するが、本発明のサンプル整経機２は、略円筒形の整経ドラム１４（例えばドラム外周長７ｍ）と、整経ドラム１４の外周部の長手方向に移動自在に設けられた複数のコンベアベルト１７と、整経ドラム１４の側部の長手方向に設けられ且つ所定の綾を形成するための複数の綾取り手段である綾取りバー１８ａ〜１８ｇと、整経ドラムの外周面上に経糸を巻き付ける複数のヤーンガイド６ａ〜６ｈと、ヤーンガイド６ａ〜６ｈに対応して設けられ且つボビン３２が着脱自在に装着されたクリール３０と、整経ドラム１４の外周前端部に設けられ且つヤーンガイド６ａ〜６ｈによる経糸の巻き付け位置をガイドする複数のガイド手段８とを備えるものである（図８参照）。なお、図示例ではクリール３０として回転式のものを示したが、固定式のものを用いてもよいことは勿論である。
【００３２】
綾取り手段である綾取りバー１８ａ〜１８ｇとしては公知のものを利用することができ、図９は綾取バー１８の先端部分の断面的説明図である。綾取バー１８は中空のパイプ状部材を有し、その先端部は、下面側がテーパー面とされ、全体的に先細テーパー状となっている。該綾取バー１８の中空部１９の先端部には先端をフック状としたフック部材２０がスピンドル２１を介して先端方向に進退自在に取り付けられている。該フック部材２０が前後に移動することによって整経ドラム１４に巻付けられる経糸を綾取バー１８の上下に選別ガイドされて綾取が行われる。即ち、該フック部材２０が後退している時は経糸は該フック部材２０に係止することはなくそのまま綾取バー１８の下側に達して下側にガイドされる。一方、フック部材２０が前進している時は経糸は該フック部材２０に係止し、そのまま綾取バー１８の上側にガイドされるようになっている（例えば特許文献３参照）。例えば、一本交互の綾を取る場合、経糸Ａ→Ｂ→Ｃ→Ｄ→Ｅ→Ｆ→Ｇ→Ｈの順番で給糸されたとすると、経糸Ａ，Ｃ，Ｅ，Ｇは上側にガイドされ、経糸Ｂ，Ｄ，Ｆ，Ｈは下側にガイドされることとなる（図９参照）。
【００３３】
ガイド手段８としては公知のものを利用することができ、図１０はガイド手段８の基本的構造を示す側面説明図であり、図１１は図１０の正面一部断面図である。ガイド手段８は、整経ドラム１４の外周前端部（ヤーンガイド６側の端部）のドラムスポーク１６の長手方向に摺動自在に設けられており、ヤーンガイド６による経糸の巻き付け位置を適切に案内するものである。ガイド手段８は、取付部材１００に固着されるＬ字形のガイド基部１０２を有しており、ガイド基部１０２の上部には回動軸１０５を介してガイドレバー１０４が設けられる。ガイドレバー１０４の下端部には円滑な動作を可能にするためのローラ１０６が取り付けられている。ガイドレバー１０４はスプリング１３０によりローラ１０６がコンベアベルト１７に圧接されるように取り付けられている。ヤーンガイド６の先端糸案内ロッド１２の導糸端部１３から導かれた経糸はガイドレバー１０４の傾斜部を滑落してコンベアベルト１７上に巻き付けられる（図１０及び図１１）。
【００３４】
ドラムスポーク１６の下方にはスライドベース１１２が取付けられ、スライドベース１１２の下面側にはガイドレール１１８が取り付けられている。取付部材１００は、基底板１０８の両端に側板１１０が立設されたチャンネル状の形状を有している。取付部材１００の基底板１０８の上面側にはスライドユニット１１６が設けられ、ガイドレール１１８と摺動自在となっている。取付部材１００の基底板１１０の下面側にはラック１２０がモータＭによるピニオン１２４の正逆転によって往復運動するように取り付けられている（図１０及び図１１）。
【００３５】
このような構造を有する本発明のサンプル整経機２によれば上記本発明方法を好適に実施することができ、整経ドラム上と綾取りバー上とで経糸の配列順の反転現象が生じず、同時整経糸本数が多い場合でも後工程の製織行程において経糸の開口不良を生じたり、経糸のつれ及び経糸の切れ等の問題を惹起することのない複本数同時整列巻き可能なサンプル整経機を提供することができるものである。
【図面の簡単な説明】
【００３６】
【図１】本発明方法による経糸の巻き姿及び整経原理を概念的に示す説明図である。
【図２】図１の１周目（１層目）を巻き付けた状態を示す説明図である。
【図３】図１の２周目（２層目）を巻き付けた状態を示す説明図である。
【図４】図１の３周目（３層目）を巻き付けた状態を示す説明図である。
【図５】図１の４周目（４層目）を巻き付けた状態を示す説明図である。
【図６】図１の５周目（５層目）を巻き付けた状態を示す説明図である。
【図７】本発明方法による整経ドラム上と綾取りバー上とで経糸の配列順を示す概念図である。
【図８】本発明のサンプル整経機の一例を示す斜視説明図である。
【図９】綾取り手段の一例を示す側面説明図である。
【図１０】ガイド手段の一例を示す側面説明図である。
【図１１】図１０の一部断面図である。
【図１２】従来方法による経糸の巻き姿及び整経原理を概念的に示す説明図である。
【図１３】図１２の１周目（１層目）を巻き付けた状態を示す説明図である。
【図１４】図１２の２周目（２層目）を巻き付けた状態を示す説明図である。
【図１５】図１２の３周目（３層目）を巻き付けた状態を示す説明図である。
【図１６】図１２の４周目（４層目）を巻き付けた状態を示す説明図である。
【図１７】図１２の５周目（５層目）を巻き付けた状態を示す説明図である。
【図１８】従来方法による整経ドラム上と綾取りバー上とで経糸の配列順を示す概念図である。
【符号の説明】
【００３７】
２：本発明のサンプル整経機、６，６ａ〜６ｈ：ヤーンガイド、８：ガイド手段、１２：先端糸案内ロッド、１３：導糸端部、１４：整経ドラム、１５：基台、１６：ドラムスポーク、１７：コンベアベルト、１８，１８ａ〜１８ｇ：綾取りバー、１９：中空部、２０：フック部材、２１：スピンドル、３０：クリール、３２：ボビン、１００：取付部材、１０２：ガイド基部、１０４：ガイドレバー、１０５：回動軸、１０６：ローラ、１０８：基底板、１１０：側板、１１２：スライドベース、１１６：スライドユニット、１１８：ガイドレール、１２０：ラック、１２４：ピニオン、１３０：スプリング、Ｍ：モータ、Ｙ，Ａ〜Ｇ，１Ａ〜１Ｈ，２Ａ〜２Ｈ，３Ａ〜３Ｈ，４Ａ〜４Ａ，５Ａ〜５Ｈ：経糸、Ｙｄ：整列巻きされた経糸層。
【図１】
2007063676.tif 000003
【図２】
2007063676.tif 000004
【図３】
2007063676.tif 000005
【図４】
2007063676.tif 000006
【図５】
2007063676.tif 000007
【図６】
2007063676.tif 000008
【図７】
2007063676.tif 000009
【図８】
2007063676.tif 000010
【図９】
2007063676.tif 000011
【図１０】
2007063676.tif 000012
【図１１】
2007063676.tif 000013
【図１２】
2007063676.tif 000014
【図１３】
2007063676.tif 000015
【図１４】
2007063676.tif 000016
【図１５】
2007063676.tif 000017
【図１６】
2007063676.tif 000018
【図１７】
2007063676.tif 000019
【図１８】
2007063676.tif 000020
【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、該整経ドラムの外周前端部に設けられ且つ該ヤーンガイドによる経糸の巻き付け位置をガイドする複数のガイド手段と、を備えるサンプル整経機によって複本数同時整経による整列巻きを行うサンプル整経方法であって、ヤーンガイドが一回転する間に、順次整経ドラムに巻付けられる複本数の各々の経糸が前記各ガイド手段を通過する毎に、該各ガイド手段が距離Ｒ分整経方向とは逆方向へピッチ戻りすることによって、該整経ドラムに巻き付けられる糸の巻付順に整経方向から逆方向に距離Ｒ分の間隔を有して配列された同時整経本数からなる経糸帯を形成するように該整経ドラムに巻き付けることを特徴とする複本数同時整列巻きによるサンプル整経方法。
【請求項２】
整経長が整経ドラム周長の２倍以上（２回巻以上）の場合、予め設定された整経長に達するまでの間、ヤーンガイドの回転毎に前回転で形成した経糸帯から変位量の距離Ｐ分整経方向へ変位した経糸帯を形成するように積層することを特徴とする請求項１記載の複本数同時整列巻きによるサンプル整経方法。
【請求項３】
予め設定された整経長に達すると、ガイド手段は次バンドの巻き付け前に、前バンドの１周目の巻き付け初めのスタート位置に戻り、コンベアベルトは予め設定された整経長に達するまでの間に同時整経本数に距離Ｒ分を乗じたＲN分を整経方向へ移動することを特徴とする請求項１又は２記載の複本数同時整列巻きによるサンプル整経方法。
【請求項４】
前記距離Ｒは、（１）整経幅÷整経総本数の値、又は（２）異なる番手の経糸が混在する場合は直径の太い糸を巻付けるときの距離Ｒの値は直径の細い糸を巻き付けたときの距離Ｒの値より大きな値（ＲL）或いは直径の細い糸を巻き付けるときの距離Ｒの値は直径の太い糸を巻き付けるときの距離Ｒ（即ちＲL）の値より小さな値（ＲS）とし、それぞれの距離Ｒ（ＲL，ＲS）の値に対応する整経本数を乗じた値の合計が前記整経幅となるような上記（１）又は（２）のいずれかの距離Ｒ（ＲL，ＲS）を用いることを特徴とする請求項１〜３のいずれか１項記載の複本数同時整列巻きによるサンプル整経方法。
【請求項５】
前記変位量の距離Ｐの値は、整経される経糸太さの直径ｄ以上又は前記距離Ｒ以上のいずれかであることを特徴とする請求項１〜４のいずれか１項記載の複本数同時整列巻きによるサンプル整経方法。
【請求項６】
整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、該整経ドラムの外周前端部に設けられ且つ該ヤーンガイドによる経糸の巻き付け位置をガイドする複数のガイド手段と、を備えるサンプル整経機であって、ヤーンガイドが一回転する間に、順次整経ドラムに巻付けられる複本数の各々の経糸が前記各ガイド手段を通過する毎に、該各ガイド手段が距離Ｒ分整経方向とは逆方向へピッチ戻りすることによって、該整経ドラムに巻き付けられる糸の巻付順に整経方向から逆方向に距離Ｒ分の間隔を有して配列された同時整経本数からなる経糸帯を形成すると共に、整経長が整経ドラム周長の２倍以上（２回巻以上）の場合は、予め設定された整経長に達するまでの間、ヤーンガイドの回転毎に前回転で形成した経糸帯から変位量の距離Ｐ分整経方向へ変位した経糸帯を形成するように積層することを特徴とする複本数同時整列巻き可能なサンプル整経機。
【請求項７】
予め設定された整経長に達すると、前記各ガイド手段は次バンドの巻付け前に、前バンドの１周目の巻付け始めのスタート位置に戻り、コンベアベルトは予め設定された整経長に達するまでの間に同時整経本数に距離Ｒ分を乗じた距離ＲN分整経方向へ移動し、予め設定された整経総本数まで繰り返すことを特徴とする請求項６記載の複本数同時整列巻き可能なサンプル整経機。
【手続補正２】
【補正対象書類名】明細書
【補正対象項目名】００１２
【補正方法】変更
【補正の内容】
【００１２】
上記課題を解決するために、本発明の複本数同時整列巻きによるサンプル整経方法は、整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、該整経ドラムの外周前端部に設けられ且つ該ヤーンガイドによる経糸の巻き付け位置をガイドする複数のガイド手段と、を備えるサンプル整経機によって複本数同時整経による整列巻きを行うサンプル整経方法であって、ヤーンガイドが一回転する間に、順次整経ドラムに巻付けられる複本数の各々の経糸が前記各ガイド手段を通過する毎に、該各ガイド手段が距離Ｒ分整経方向とは逆方向へピッチ戻りすることによって、該整経ドラムに巻き付けられる糸の巻付順に整経方向から逆方向に距離Ｒ分の間隔を有して配列された同時整経本数からなる経糸帯を形成するように該整経ドラムに巻き付けることを特徴とする。
【手続補正３】
【補正対象書類名】明細書
【補正対象項目名】００１３
【補正方法】変更
【補正の内容】
【００１３】
整経長が整経ドラム周長の２倍以上（２回巻以上）の場合、予め設定された整経長に達するまでの間、ヤーンガイドの回転毎に前回転で形成した経糸帯から変位量の距離Ｐ分整経方向へ変位した経糸帯を形成するように積層すること好適である。
【手続補正４】
【補正対象書類名】明細書
【補正対象項目名】００１４
【補正方法】変更
【補正の内容】
【００１４】
予め設定された整経長に達すると、ガイド手段は次バンドの巻き付け前に、前バンドの１周目の巻き付け初めのスタート位置に戻り、コンベアベルトは予め設定された整経長に達するまでの間に同時整経本数に距離Ｒ分を乗じたＲN分を整経方向へ移動することが好ましい。
【手続補正５】
【補正対象書類名】明細書
【補正対象項目名】００１５
【補正方法】変更
【補正の内容】
【００１５】
前記距離Ｒは、（１）整経幅÷整経総本数の値、又は（２）異なる番手の経糸が混在する場合は直径の太い糸を巻付けるときの距離Ｒの値は直径の細い糸を巻き付けたときの距離Ｒの値より大きな値（ＲL）或いは直径の細い糸を巻き付けるときの距離Ｒの値は直径の太い糸を巻き付けるときの距離Ｒ（即ちＲL）の値より小さな値（ＲS）とし、それぞれの距離Ｒ（ＲL，ＲS）の値に対応する整経本数を乗じた値の合計が前記整経幅となるような上記（１）又は（２）のいずれかの距離Ｒ（ＲL，ＲS）を用いることが好ましい。
【手続補正６】
【補正対象書類名】明細書
【補正対象項目名】００１６
【補正方法】変更
【補正の内容】
【００１６】
前記変位量の距離Ｐの値は、整経される経糸太さの直径ｄ以上又は前記距離Ｒ以上のいずれかであることが好ましい。
【手続補正７】
【補正対象書類名】明細書
【補正対象項目名】００１７
【補正方法】変更
【補正の内容】
【００１７】
また、本発明の複本数同時整列巻き可能なサンプル整経機は、整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、該整経ドラムの外周前端部に設けられ且つ該ヤーンガイドによる経糸の巻き付け位置をガイドする複数のガイド手段と、を備えるサンプル整経機であって、ヤーンガイドが一回転する間に、順次整経ドラムに巻付けられる複本数の各々の経糸が前記各ガイド手段を通過する毎に、該各ガイド手段が距離Ｒ分整経方向とは逆方向へピッチ戻りすることによって、該整経ドラムに巻き付けられる糸の巻付順に整経方向から逆方向に距離Ｒ分の間隔を有して配列された同時整経本数からなる経糸帯を形成すると共に、整経長が整経ドラム周長の２倍以上（２回巻以上）の場合は、予め設定された整経長に達するまでの間、ヤーンガイドの回転毎に前回転で形成した経糸帯から変位量の距離Ｐ分整経方向へ変位した経糸帯を形成するように積層することを特徴とする。
【手続補正８】
【補正対象書類名】明細書
【補正対象項目名】００１８
【補正方法】変更
【補正の内容】
【００１８】
予め設定された整経長に達すると、前記各ガイド手段は次バンドの巻付け前に、前バンドの１周目の巻付け始めのスタート位置に戻り、コンベアベルトは予め設定された整経長に達するまでの間に同時整経本数に距離Ｒ分を乗じた距離ＲN分整経方向へ移動し、予め設定された整経総本数まで繰り返すことが好ましい。